Podtech/llm-jp-corpus-v4-ja_patent huggingface dataset:
(57)【要約】【課題】従来の肩叩き具やツボ押し具は、使い方が肩とか足とかに限定されていて、全身に及ぶものではなかった。これをＬ字状（あるいは変形Ｌ字状）の木を加工し、手軽に全身のツボを押したり叩いたり、また、ツボ以外の皮膚をこすったりして、全身的に血流をよくする器具を考案してみた。また、流木や枯れ木、伐採木は、従来そのまま放置され、あるいは粗大ゴミとして燃焼処理されてきた。それを資源の再利用という観点から、「ツボ叩き具」に加工し、健康器具として使うようにしたものである。【解決手段】木の枝でＬ字状になったものに目をつけ、これを「ツボ叩き具」に加工する。だが、必ずしもそういう木ばかりではないので、その時は棒の先端に短い木（「叩く部分」）をネジ釘で接着し、自由な大きさで作成する。また、木部に種々の彫刻を施し、それを楽しみながら使えるようにしたところを特徴とする。【選択図】　　図３
0003097341.tif 000002
【実用新案登録請求の範囲】
【請求項１】
Ｌ字状の木の棒で作った健康器具で、短い方の一側端を丸く削ったツボ叩き具である。
【請求項２】
短い方の一側端を本体の頭より少し下に付けると重さを増し、叩く時に力が加わる。この形態を変形Ｌ字状のツボ叩き具とする。
【考案の詳細な説明】
【０００１】
【考案の属する技術分野】
本考案は、Ｌ字状もしくは変形Ｌ字状の木の棒で作った健康器具で、短い方の一端で、全身のツボ及び、皮膚を押したり、叩いたり、引っ掻いたりして全身の血流を良くするために使う健康器具に関するものである。
【０００２】
【従来の技術】
従来、イ、短い棒状の木で押す指圧タイプのものと、あるいは、ロ、柄の先に電動マッサージ器が付いているバイブレーター式のマッサージ器があった。
【０００３】
【考案が解決しようとする課題】
従来の技術で述べたもののうち、前者、イにおいては使い方が単純で力不足という欠点があった。
【０００４】
また、後者、ロにおいては、値段も高く、マッサージは出来るが、指圧は出来ず、又、電気系統が劣化すると廃品となる欠点があった。
【０００５】
本考案は、このような従来の欠点をなくすためになされたもので、より丈夫で、安価な、手軽に楽しみつつ使える健康器具を考えてみた。
【０００６】
【課題を解決するための手段】
上記目的を達成するために、本考案は下記のように工夫してみた。
形としては、Ｌ字状（図形１）と変形Ｌ字状（図形２）が考えられる。短い方の先端を丸く削り、ここの部分でツボ、及び、皮膚を叩いたり、押したり、こすったりするのである。
【０００７】
Ｌ字状の自然木（流木・枯れ木・伐採木等）を使う。枝がＬの形を成しているのが望ましいが、必ずしもそういう木ばかりではないので、その時は、棒に直角に短い木をネジ釘で留める。（この時、ボンドも使うと接着が完璧になる）
この後、ネジ釘の頭の部分を木片で隠すと良い。（釘隠し）
Ｌ字の角度は、直角を基本とする。好みで角度を付けることができるが、鋭角や鈍角になると力が逃げ、使い勝手が悪い。
太さは握り具合が良いように自由に作ることができる。
柄の長さは、２０センチから７０センチぐらいまで好みによって作ることが出来るが、余り長くて重いと実用的でなくなるので、３０センチ〜４５センチぐらいが使いやすい。
【０００８】
自然木が材料なので、なるべく木の自然な良さ（コブ、節、曲がりやねじれ、木目等）を活かして作る。
使用した木が、欅等の銘木である場合、見栄えの良いものとなる。
一本一本が手作りで、木部に種々の彫刻を施せば、完成度の高いものは、美的な工芸品ともなり得る。また、置物にしても良い。
【０００９】
流木や枯れ落ちた木、あるいは伐採木等の不要木を使うので、資源のリサイクルとなり、自然にやさしい。
【００１０】
【考案の実施の形態】
一日に一度か二度、朝か晩、この器具で押しつつ引っ掻く。手のひら・足の裏のツボを叩くことから始め、ツボ以外の部分はこするようにする。（なお、「ツボ」は、心地よい痛点なので容易に見つかる）足のスネの骨の両側、ひざ頭の周囲、股、腰と上ってくる。尾骨は上下に、腰は左右にこする。次いで肩、首の後ろ、背骨の両側に押し当てつつ引っ掻く。決まった時間でなく、食後、テレビを見ながら……等、空いた時に気楽に使うことができる。
【００１１】
【考案の効果】
全身の血流がただちに良くなる。その結果、手足は温まり、肩の凝りは消え、腰痛は薄らぐ。
手のひら・足の裏のツボは、内臓各部に通じており、そのため、内臓の働きが活性化し、体調が全般的に整えられてゆく。
又、上記の結果、３日もすると手足の甲がツヤツヤと光ってくるようになる。全身の肌もスベスベしてくる。つまり、肌荒れが直る。
これらは「薬」による効果でないので、一切の薬害が無い。
自然木に絶えず触れることにより、木のぬくもりが伝わり、精神的にも落ち着く。
【００１２】
木のぬくもりや彫刻を楽しみつつ、手軽に使え、しかもこの器具は丈夫で、長年の使用に耐える。
【図面の簡単な説明】
【図１】本考案の側面図である。
【図２】本考案の正面図である。（ａ　縦図　ｂ　横図）
【図３】本考案の斜視図である。（１）の形で、ネジ釘を接着し、かつ彫刻を施した場合の例。
【符号の説明】
１　本体
２　握り部分
３　叩く部分
４　ネジ釘
【図１】
0003097341.tif 000003
【図２】
0003097341.tif 000004
【図３】
0003097341.tif 000005
【手続補正書】
【提出日】平成14年12月20日(2002.12.20)
【手続補正１】
【補正対象書類名】明細書
【補正対象項目名】実用新案登録請求の範囲
【補正方法】変更
【補正の内容】
【実用新案登録請求の範囲】
【請求項１】
（１）　全体がＬ字状の木の棒で、「握り」、「本体」「叩く部分」から成り、「叩く部分」は短く、当たって痛くないように先を丸く削ったもの。
（２）　全体が変形Ｌ字状の木の棒で、一側端の「叩く部分」を本体の頭部よりやや下に付け、叩く時に、頭部に重さが加わるようにしたもの。
（３）　（１）の形で、それに彫刻を施したもの。
（４）　（２）の形で、それに彫刻を施したもの。
以上の構成から成るツボ叩き具。
【手続補正２】
【補正対象書類名】明細書
【補正対象項目名】図３
【補正方法】変更
【補正の内容】
【図３】本考案の斜視図である。
（３）の形で、ネジ釘を接着し、かつ彫刻を施した場合の例。




【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
全体がＬ字状の木の棒で、握り、本体、叩く部分から成り、叩く部分は短く、当たって痛くないように先を丸く削ったツボ叩き具。
【請求項２】
全体が変形Ｌ字状の木の棒で、握り、本体、叩く部分から成り、叩く部分を本体の頭部よりやや下に付けたツボ叩き具。
【請求項３】
請求項１又は請求項２に記載されたツボ叩き具において、部分あるいは全体に彫刻を施したツボ叩き具。
【手続補正２】
【補正対象書類名】明細書
【補正対象項目名】図３
【補正方法】変更
【補正の内容】
【図３】本考案の斜視図である。
請求項３の形で、ネジ釘で叩く部分を接着した場合の例。
(57)【要約】　　　（修正有）【課題】床等のモップでの拭き掃除時に蛇口から遠く離れた所で行うとき水を入れたまま持ち運びに労力を要せず、水こぼれしにくいモップ洗い容器を提供する。【解決手段】１、持ち運びが楽な様に洗い容器下部１の底の前にキャスター３を取り付けキャスターハンドル４を調整しキャスターハンドル調整ネジ１５で固定して転がして運ぶ。２、洗い容器下部１に水を入れて運ぶとき前斜めに傾けて運ぶため水が前側からこぼれ易くなりこの事を防ぐための洗い容器傾斜部２を洗い容器下部１の前の上の部分にを設ける。以上二つの構成からなり、運び易く水こぼれしにくいモップ洗い容器である。【選択図】　　図２
0003097350.tif 000002
【実用新案登録請求の範囲】
【請求項１】
モップの洗い容器下部▲１▼の底の前側にキャスター▲３▼を設ける。
【請求項２】
モップの洗い容器下部▲１▼に洗い水を入れて運ぶ時に水こぼれを防ぐために洗い容器下部▲１▼の前の部分に上向きに洗い容器傾斜部▲２▼を設ける。
【考案の詳細な説明】
蛇口の近くで床等の拭き掃除を行うとき従来の据え置き形のモップ洗い容器でこと足りるが、蛇口から遠く離れたで所で拭き掃除をする時はに今までの据え置き形のモップ洗い容器の持ち運びには労力を必要とし女子や年配者等では苦労であり、洗い水を中に入れた時に持ち運びが簡単で楽に行える事を目的に考えたものが当モップ洗い容器である。
説明として洗い容器下部▲１▼の底の前側に持ち運び用のキャスター▲３▼を取り付けることにより転がして運ぶことができ、洗い容器下部▲１▼に洗い水を入れて運ぶとき前斜めに傾て運ぶようになるため水が前側からこぼれ易くなり、この事を防ぐ必要があり、その方法として洗い容器下部▲１▼の前上部に上向きに洗い容器傾斜部▲２▼を設けることにより水がこぼれにくく運び易くなる。
以上が当考案の二つの要素である。
モップを絞る時は踏み込みペタル▲１０▼を足で踏み込めば踏み込みアーム▲９▼に継がる移動ローラー▲６▼が移動し固定ローラー▲５▼との間にモップを挟み回転アームハンドル▲１２▼を回すと移動ローラー回転アーム▲１１▼が移動ローラー▲６▼を回しモップを絞ることが出来る。
【０００１】
【産業上の利用分野】
清掃時の床等のモップでの拭きく掃除。
【０００２】
【従来の技術】
従来は箱形で据え置き形のモップ洗い容器が広く使われている。
【０００３】
【考案が解決しようとする課題】
水を入れたまま持ち運びが楽で移動時に水こぼれしにくいモップ洗い容器。
【０００４】
【課題を解決するための手段】
持ち運びの楽なモップ洗い容器で、キャスター▲３▼をつけることにより持ち運びがし易く、移動時の水こぼれを防ぐためには洗い容器下部▲１▼底の前側に洗い容器傾斜部▲２▼を設けことにより解決することができる。
【０００５】
【佐用】
洗い容器下部▲１▼底の前方にキャスター▲３▼を取り付け伸び縮みが可能なキャスターハンドル▲４▼を調整しキャスターハンドル調整ネジ▲１５▼で固定しキャスターハンドル▲４▼をもちキャスター▲３▼でモップ洗い容器を転がして運ぶことと、移動時に水こぼれを防ぐために洗い容器下部▲１▼の前上側に洗い容器傾斜部▲２▼を設けて水こぼれを防ぐ、二つの佐用からなる。
【０００６】
【実施例】
床等のモップでの拭き掃除でのモップ洗い。
【０００７】
【考案の効果】
当モップ洗い容器を使うことにより、水を入れた状態でキャスター▲３▼で転がし持ち運びができ、女子や年配の方でもモップでの拭き掃除作業が楽に行える。
【図面の簡単な説明】
【図１】平面図
【図２】側面図
【符号の説明】
▲１▼　　洗い容器下部　　　　　▲９▼　　踏み込みアーム
▲２▼　　洗い容器傾斜部　　　　▲１０▼　　踏み込みペタル
▲３▼　　キャスター　　　　　　▲１１▼　　移動ローラー回転アーム
▲４▼　　キャスターハンドル　　▲１２▼　　回転アームハンドル
▲５▼　　固定ローラー　　　　　▲１３▼　　底部鉄枠
▲６▼　　移動ローラー　　　　　▲１４▼　　底部鉄枠固定ネジ
▲７▼　　支柱　　　　　　　　　▲１５▼　　キャスターハンドル調整ネジ
▲８▼　　支柱アーム　　　　　　▲１６▼　　スプリング
【図１】
0003097350.tif 000003
【図２】
0003097350.tif 000004
【手続補正書】
【提出日】平成15年5月13日(2003.5.13)
【手続補正１】
【補正対象書類名】明細書
【補正対象項目名】実用新案登録請求の範囲
【補正方法】変更
【補正の内容】
【実用新案登録請求の範囲】
【請求項１】
モップの洗い容器下部▲１▼の底の前側にキャスター▲３▼を設ける。
【請求項２】
【請求項１】
記載のモップの洗い容器下部▲１▼に洗い水を入れキャスター▲３▼を転がし運ぶとき、水こぼれを防ぐ目的で洗い容器下部▲１▼の前の部分に洗
い容器傾斜部▲２▼を設ける。
(57)【要約】　　　（修正有）【課題】横刃、縦刃のロー付け接合作業に伴う膨張収縮による、割れ破損を無くす。【解決手段】横刃１に縦刃取付け用の溝３と歪吸収穴４を設け、縦刃２を差し込みロー付け接合をする。この刃物を自動機に装着し製品を切断する。【選択図】　　　図１
0003097342.tif 000002
【実用新案登録請求の範囲】
【請求項１】
自動縦横同時切断機刃物の縦刃、横刃の接合方法に関するもの。
【考案の詳細な説明】
【０００１】
【考案の属する技術分野】
この考案は、自動機械で餅等を縦、横、同時切断する機械刃物の製造に関するものである。
【０００２】
【従来の技術】
従来の縦刃、横刃の接合方法は、横刃に縦刃を挟み込む縦溝を設け、製品切断目的に応じた数本に、縦刃を差し込み銀ローで、接合した物である。
【０００３】
【考案が解決しようとする課題】
これは次の様な欠点がある。
従来の縦刃、縦溝へ挟み込みロー付け方法は、ロー付けの際のロー融解熱により熱膨張し縦溝が開く、そこへローが流れ込み常温に戻す際、流れ込んだローの厚み分収縮が出来ず、歪みが生じ、割れが発生する。不良発生率が５０％以上と高く、コスト高になる。
【０００４】
【課題を解決するための手段】
縦刃を挟み込む縦溝の末端に歪吸収穴（図、４）を設ける。
【０００５】
【考案の実施形態】
横刃に縦刃取付け用の溝と歪吸収穴を設け、縦刃を差し込みロー付け接合をする。この刃物を自動機に装着し製品を切断する。
【０００６】
【考案の効果】
横刃に縦刃を取付ける際の、ロー付け過熱熱膨張及常温冷却収縮歪みを穴が吸収し、割れが生じなく接合することができる。
【図面の簡単な説明】
製品縦横同時切断刃物及切断側面図。
【符号の説明】
１、横刃本体
２、縦刃
３、縦刃差し込み溝
４、歪吸収穴
５、刃物稼動アーム
６、切断前製品ー
７、切断済製品
８、稼動アーム取付け穴
0003097342.tif 000003
【手続補正書】
【提出日】平成15年5月14日(2003.5.14)
【手続補正１】
【補正対象書類名】明細書
【補正対象項目名】実用新案登録請求の範囲
【補正方法】変更
【補正の内容】
【実用新案登録請求の範囲】
【請求項１】
自動縦横同時切断機械用刃物の、縦刃、横刃の接合に当たり、歪割れ防止の
吸収穴を設けた刃物の構造に関するものである。
【手続補正書】
【提出日】平成15年1月31日(2003.1.31)
【手続補正１】
【補正対象書類名】明細書
【補正対象項目名】実用新案登録請求の範囲
【補正方法】変更
【補正の内容】
【実用新案登録請求の範囲】
【請求項１】
自動縦横同時切断機械刃物の縦刃、横刃の接合に関するものである。
【手続補正２】
【補正対象書類名】明細書
【補正対象項目名】図面の簡単な説明
【補正方法】変更
【補正の内容】
【図面の簡単な説明】
【図１】歪吸収穴を設けた刃物斜図
【図２】製品切断使用側面図
【符号の説明】
【図１】
１、横刃本体
２、縦刃
３、縦刃差し込み溝
４、歪吸収穴
５、稼動アーム取り付け長穴
【図２】
１、横刃本体
２、縦刃
３、縦刃差し込み溝
４、歪吸収穴
５、稼動アーム取り付け長穴
６、切断前の製品
７、切断が済んだ製品
８、刃物稼動アーム


【手続補正３】
【補正対象書類名】図面
【補正対象項目名】全図
【補正方法】変更
【補正の内容】
【図１】
0003097342.tif 000004
【図２】
0003097342.tif 000005
(57)【要約】【課題】既製の釣り用リールのハンドルグリップ部に本考案のグリップキャップを上から被せることによって、更に手にフィットした握り心地の良いハンドルグリップが即座に出来上がる。【解決手段】本考案のグリップキャップの中を空洞にし、素材を柔らかく弾性のあるものにすることによって、既製のハンドルグリップの上から被せることが出来る。取付けは上から被せるだけでなので、工具等の道具を一切使用することがない。【選択図】　図１
0003097345.tif 000002
【実用新案登録請求の範囲】
【請求項１】
工具等の道具を一切使わずに、既製の釣り用リールハンドルグリップ部に被せるグリップキャップ。
【請求項２】
材質は柔らかく、弾性のある樹脂若しくはゴム類を加工したものである既製の釣り用リールのハンドルグリップ部に被せるグリップキャップ。
【考案の詳細な説明】
【０００１】
【考案の属する技術分野】
本考案は、釣り用リールのハンドルグリップの上にそのまま被せるだけで、工具等の道具を一切使用することなく取付けることの出来る、着脱が簡単で手に馴染み、且つハンドルを操りやすくする形状の釣り用リールハンドルグリップ部のキャップである。
【０００２】
【従来の技術】
従来のハンドルグリップ部は、単に握ることを意識した形状となっている。
【０００３】
また、上記
【０００２】の問題を解決するのに作られた、取付け式のハンドルグリップ部のみの製品を取付けるのには、既製のハンドルグリップをドライバー等の工具で取外し、取外した部品ベアリングなどにハンドルグリップ部が円滑に回るようにオイルを注入、塗付し、他形態のハンドルグリップを組立てる。
【０００４】
【考案が解決しようとする課題】
既製のハンドルグリップは確かに握りやすいが、実際にハンドルグリップを握って、リールを回転させてみると手を動かし難く感じる。そうすると、手に負担が掛かると共に、良い釣果に結びつかない。
【０００５】
また、釣人はハンドルグリップを長時間握って釣りをすることが多く、既製品のハンドルグリップを長時間握っていると手が疲れやすい。
【０００６】
取付け式のハンドルグリップのみの製品は、図６のような既製のハンドルグリップ部を工具で分解して、ベアリングなどにオイルを注入・塗付しなければならないので時間と手間がかかるとともに、内部部品を消失してしまうことや、破壊してしまう虞がある。
【０００７】
【課題を解決するための手段】
上記目的を達成するために、本発明のグリップキャップで使用する材質は柔らかくて弾性・耐久性のあるものであり、また請求項１に掲載したように既製のハンドルグリップの上から、そのままを被せることが出来る。また、その材質から手にフィットする。
【０００８】
【考案の実施の形態】
本考案のグリップキャップを図面について説明すると、図３のように中が空洞になっており、素材は弾性に富み伸縮するので、図１のような既製のハンドルグリップ部の上から手で押し込んで被せることが可能であるので、図７に示す取付け式ハンドルグリップのみの製品のように組立てが不要である。
【０００９】
【考案の効果】
本考案のグリップキャップを既製のハンドルグリップに取付ける時、上から被せるだけで工具等の道具を使用したりしないので手間・時間がかからない。また、従来品の取付け式のハンドルグリップを取付ける時のようにハンドルを分解しなくても良いので、破壊してしまうことや、内部部品を消失する虞が無い。
また、手にフィットする形状・材質で、手が疲れ難くハンドルを操り易くなるのでより良い釣果が得られる。
【図面の簡単な説明】
【図１】既製の釣り用リールのハンドルグリップ部に本発明のグリップキャップを取付けた側面図である。
【図２】図３の断面図を示す切断線を示した斜面図である。
【図３】本考案のグリップキャップの断面図である。
【図４】本考案のグリップキャップの底面図である。
【図５】本考案グリップキャップの平面図である。
【図６】既製の釣り用リールのハンドル部の展開図である。
【図７】他形態の取付け式のハンドルグリップを取付ける時の展開図である。
【符号の説明】
Ａ　本考案のグリップキャップ
Ｂ　既製品ハンドルグリップ部
Ｃ　既製品ハンドルグリップ部シャフト
Ｄ　既製品ハンドルアーム部
Ｅ　既製品釣り用リールと既製品ハンドルとの繋ぎ目
Ｆ−Ｆ‘　グリップキャップ切断線
Ｇ　ハンドルパッキン
Ｈ　固定軸調整座金
Ｉ　ボールベアリング
Ｊ　固定ナット
Ｋ　ネジキャップ
Ｌ　他形態の取付け式のハンドルグリップ
Ｍ　他形態の取付け式ハンドルグリップの付属蓋
【図１】
0003097345.tif 000003
【図２】
0003097345.tif 000004
【図３】
0003097345.tif 000005
【図４】
0003097345.tif 000006
【図５】
0003097345.tif 000007
【図６】
0003097345.tif 000008
【図７】
0003097345.tif 000009
【手続補正書】
【提出日】平成15年5月28日(2003.5.28)
【手続補正１】
【補正対象書類名】明細書
【補正対象項目名】実用新案登録請求の範囲
【補正方法】変更
【補正の内容】
【実用新案登録請求の範囲】
【請求項１】
挿入口から内部が空洞である、筒状の既製の釣り用リールハンドルグリップ部に被せるグリップキャップ。
【請求項２】
材質は柔らかく、弾性のある樹脂若しくはゴム類を加工したものである既製の釣り用リールのハンドルグリップ部に被せる請求項１に記載のグリップキャップ。
【手続補正書】
【提出日】平成15年3月11日(2003.3.11)
【手続補正１】
【補正対象書類名】明細書
【補正対象項目名】実用新案登録請求の範囲
【補正方法】変更
【補正の内容】
【実用新案登録請求の範囲】
【請求項１】
挿入口から内部が空洞である、筒状の既製の釣り用リールハンドルグリップ部に被せるグリップキャップ。
【請求項２】
材質は柔らかく、弾性のある樹脂若しくはゴム類を加工したものである既製の釣り用リールのハンドルグリップ部に被せるグリップキャップ。
(57)【要約】【課題】本考案は、流体磁気活性化装置の着脱性を便利にした上、携帯性を高めることにより、多様な場面に容易に適用可能にし、状況に限られない流体活性化を図るものである。【解決手段】洗濯ばさみのような形を用い、固定軸（５）を中心に弾力スプリング（３）の作用で簡単に開閉する円形活性路（４）に、マグネット（２ａ）と（２ｂ）の間を貫通よう配水道管、もしくはストローや医療用供給管をそれぞれはさめるような構造で、表面を多様な色とパターンにデザインすると共に穴（６）を設けホルダー用リングを付けることで携帯性を高め、多様な場面に応用できるようにする。【選択図】　　図１
0003097349.tif 000002
【実用新案登録請求の範囲】
【請求項１】
洗濯ばさみのような形（１）を用い、固定軸（５）を中心に弾力スプリング（３）の作用で簡単に開閉する円形活性路（４）に、マグネット（２ａ）と（２ｂ）の間を貫通よう配水道管、もしくはストロー（４）や病院で使う給血管、点滴などをそれぞれはさめるような構造を特徴とする磁活水化装置。
【請求項２】
請求項１に記載した磁活水化装置の表面（１）を多様な色とパターンにデザインすると共に穴（６）を設けホルダー用リング（８）を付けることにより携帯性を高める特徴を持つ多用度磁活水化装置。
【考案の詳細な説明】
【０００１】
【考案の属する技術分野】
本考案は、流体磁気活性化装置の着脱性を便利にした上、携帯性を高めることにより、多様な場面に容易に適用可能にした多用度磁活水化装置に関するものである。
【０００２】
【従来の技術】
従来の技術による流体磁気活性化装置は、１箇所固定的なタイプ、もしくは、家庭内での消費水に関するものが多く、その着脱性も優れていなかったため、使用範囲が限られてしまう。
【０００３】
【考案が解決しようとする課題】
生活上、水を口にもしくは手にすることは多く、それは限られた場所・供給ではない。ライフスタイルによっては家庭内より外の方が多い場合もあり、実際、市販の飲料を飲んだりするときは、全く対策がないのである。従って、従来の流体磁気活性化装置の着脱を便利にし、携帯性を高める事により日常茶飯に行う接水活動、そして医療活動への応用にまでより多様な場面で磁活水化を可能にし、前述の欠点を解決しようとするものである。
【０００４】
【課題を解決するための手段】
洗濯ばさみのような形（１）を用い、固定軸（５）を中心に弾力スプリング（３）の作用で簡単に開閉する円形活性路（４）に、マグネット（２ａ）と（２ｂ）の間を貫通よう配水道管、もしくはストロー（４）や医療用供給管をそれぞれはさめるような構造で、表面（１）を多様な色とパターンにデザインすると共に穴（６）を設けホルダー用リング（８）を付けることで携帯性を高めることにより問題を解決している。
【０００５】
【考案の実施の形態】
磁活水化装置本体は固定軸を中心に弾力スプリングの作用で簡単に開閉し、自由に管を挟むことができる。小型で、ホルダー用リングにより携帯しやすいデザインは日常の多様な場面に適用する事ができる。そして、磁活水化機能に兼ね、かわいいグラフィックによるアクセサリとしての役割も果たすことで、健康に対しての自らの対策の認識を普及する事を図る。
【０００６】
【実施例】
以下、添付図面に従って一実施例を説明する。（１）は耐久性のプラスチックなど適宜素材で形成され、オス軸を持つ（１ａ）とメス軸を持つ（１ｂ）を組み合わせ弾力スプリング（３）の作用で動作を可能にする。
【０００７】
活性化用マグネット（２）の作用範囲にある円形活性路（４）に市販の飲料のストロー（７）や配水管、医療用供給管を挟み、流体が活性化用マグネット（２）の作用範囲を通るようにし、活性化した状態での利用が可能になる。
【０００８】
ホルダー用リング（８）により携帯性がよく、日常におけるその使用範囲はますます広がり、状況に限られない活性水が利用可能になる。
【０００９】
【考案の効果】
携帯性がよく、着脱が便利なため、場所に限られず気軽に使用することができる。家庭内で外で、そして市販の飲料を飲んだりするときも、幅広く適用できる。そして医療活動への応用とし、血液や薬を投与するときにも原液の活性化に役立つよう簡単に設置することができる。
【図面の簡単な説明】
【図１】本考案の多用度磁活水化装置の構造を示す正面図である。
【図２】本装置の動作例である。
【図３】本装置の管を挟んだ状態の側面図である。
【符号の説明】
１　多用度磁活水化装置本体
２　活性化用マグネット
３　開閉用弾力スプリング
４　円形活性路
５　固定軸
６　連結用穴
７　ストローや配水管、供給管
８　ホルダー用リング
【図１】
0003097349.tif 000003
【図２】
0003097349.tif 000004
【図３】
0003097349.tif 000005
【手続補正書】
【提出日】平成15年5月13日(2003.5.13)
【手続補正１】
【補正対象書類名】明細書
【補正対象項目名】請求項１
【補正方法】変更
【補正の内容】
【請求項１】
洗濯ばさみのような形（１）を用い、固定軸（５）を中心に弾力スプリング（３）の作用で簡単に開閉する円形活性路（４）に、マグネット（２ａ）と（２ｂ）の間を貫通よう配水道管、もしくはストロー（７）や病院で使う給血管、点滴などをそれぞれはさめるような構造を特徴とする磁活水化装置。
【手続補正２】
【補正対象書類名】明細書
【補正対象項目名】０００３
【補正方法】変更
【補正の内容】
【０００３】
【考案が解決しようとする課題】
生活上、水を接することは多く、それは限られた場所ではない。ライフスタイルによっては家庭内より外の方が多い場合もあり、実際、市販の飲料を飲んだりするときは、全く対策がないのである。従って、従来の流体磁気活性化装置の着脱を便利にし、携帯性を高める事により日常茶飯に行う接水活動の他、医療活動への応用に至るまで、より多様な場面で磁活水化を可能にし、前述の欠点を解決しようとするものである。


【手続補正３】
【補正対象書類名】明細書
【補正対象項目名】０００４
【補正方法】変更
【補正の内容】
【０００４】
【課題を解決するための手段】
洗濯ばさみのような形（１）を用い、固定軸（５）を中心に弾力スプリング（３）の作用で簡単に開閉する円形活性路（４）に、マグネット（２ａ）と（２ｂ）の間を貫通よう配水道管、もしくはストロー（７）や医療用供給管をそれぞれはさめるような構造で、本体（１）を多様な色とパターンにデザインすると共に穴（６）を設けホルダー用リング（８）を付けることで携帯性を高めることにより問題を解決している。
(57)【要約】　　　（修正有）【課題】編棒を使用したニットウェアを作成中において、容易に作品の長さを測ることのできる利便性をもつ編棒を提供する。【解決手段】編棒に長さを測るための目盛りを記入したことを特徴とする編棒である。【選択図】　　図２
0003097962.tif 000002
【実用新案登録請求の範囲】
【請求項１】
編針にメジャーを記入することにより物を編ながら長さを測る便利さ
【考案の詳細な説明】
【０００１】
〔考案が解決しようとする課題〕
物を編場合途中で長さを知りたい時に直ぐ分かりにくかった為問題点がある
【０００２】
〔課題を解決するための手段〕
作品の進みぐあいが直ぐ分かりにくいのでメジャーを針に記入した。
【０００３】
〔考案の効果〕
いつも手元にメジャーが有り直ぐ測ることができる
【図面の簡単な説明】
【図１】従来の編針
【図２】編針にメジャーを記入した物
【符号の説明】
▲１▼編針
▲２▼メジャー入編針
【図１】
0003097962.tif 000003
【図２】
0003097962.tif 000004
【手続補正書】
【提出日】平成15年6月10日(2003.6.10)
【手続補正１】
【補正対象書類名】明細書
【補正対象項目名】実用新案登録請求の範囲
【補正方法】変更
【補正の内容】
【実用新案登録請求の範囲】
【請求項１】
編み針にメジャーを記入した編針
【手続補正２】
【補正対象書類名】明細書
【補正対象項目名】考案の詳細な説明
【補正方法】変更
【補正の内容】
【考案の詳細な説明】
【０００１】
【考案が解決しようとする課題】
この考案は、編棒を使用したニットウェアを作成中において、容易に作品の長さを測ることのできる利便性をもつ編棒を提供することを課題とする。
【０００２】
【課題を解決するための手段】
以上の課題を解決するために、請求項１の考案は編棒に長さを測るための目盛りを記入したことを特徴とする編棒である。
【０００３】
【考案の効果】
この考案によれば、編棒に長さを測るための目盛りが記入されているため、ニットウェア作成中に容易に作品の長さを測ることができる。
(57)【要約】【課題】弁当等の容器をビニール袋の中に固定して、袋内での移動や傾きを無くして、弁当等の容器内でのしきりを越えた中身の混ざりや容器からのこぼれを防ぐことを目的としたビニール袋を提供する。【解決手段】ビニール袋の底面に接着テープを配備し、さらに接着テープがはがしやすいようにつまみの部分を備えた接着面のテープ保護膜によって、簡単に保護膜をはがすことができ、なおかつ、ゴミにならないよう袋の底面と接着テープの保護膜をはがす部分とは逆の部分を接着しておき、ゴミ化を防ぎ、簡単かつ快適に弁当等の容器の底と袋の底の接着面とを接着することによって袋と容器を固定するものである。【選択図】　図１
0003097964.tif 000002
【実用新案登録請求の範囲】
【請求項１】
ビニール袋側面と底面との繋ぎのつまみ部分（図中の１）の間にビニール袋の底の折り目（図中の２）と直角に交わるように、粘着テープを接着させておき（図中の５）、上面の粘着面を使用する時に保護してある紙が剥がし易いように、粘着面より広い範囲を用意してつまみの部分（図中の６）とする。さらに保護の紙は剥がし終えたあと分離するのでなく、そのまま袋の底につながったままの状態（図中の８）でゴミにならないようにし、テープを折り目と直角に交わるよう配備したために従来の折り畳みやすさを阻害しないビニール袋である。
【考案の詳細な説明】
【０００１】
【考案の属する技術的な分野】
この考案は、底にある粘着テープで袋の中身を固定し、移動、傾きを防ぎテープの保護膜もめくり易いよう接着されてない部分を設け（図中の６）、剥がしたあとも分離せずゴミにならないビニール袋に関するものである。
【０００２】
【従来の技術】
従来は、固定することを考えず、袋の形状の工夫として、側面を袋の底でつまむ部分（図中の１）の度合いを配慮してある程度で根本的に固定しようという試みは無かった。
【０００３】
【考案が解決しようとする課題】
従来の袋では、弁当などに汁物がある場合など、少しの振動でも弁当などが移動するために、弁当の容器内の仕切りを越えて混在してしまうことがあり、とくに他の物と同一の袋に入れられる場合は傾くことが多かった
本案はこれらの欠点を解消するためのものである
【０００４】
【課題を解決するための手段】
袋の底面に粘着テープを備え、弁当等の容器の底と接着させ、容器を袋ごと固定する。
【０００５】
【考案の実施の形態】
つまみ易くした保護膜テープ（図中の６）をつまんで剥がし、弁当等の容器の底の中心と剥き出しになった接着面（図中の７）を弁当等の容器の底と接着させる。また、剥がした保護膜もビニールに付いたまま（図中の８）なのでゴミにならない。
【０００６】
【考案の効果】
弁当等の容器とビニール袋が直接に接着されることにより、袋内の容器の単独の移動がなくなるので他のものと共用で袋を使用しても容器自体が単独で傾く心配がなくなる。これによって、容器内の仕切りを越えて中のものが混ざったり移動したりこぼれたりすることがなくなる。
【図面の簡単な説明】
【図１】本考案の斜視図である。
【図２】本考案の実施例を示す斜視図である。
【符号の説明】
１　ビニール袋側面と底面との繋ぎのつまみ部分
２　ビニール袋の低面の折り目　３　ビニール袋の底面
４　ビニール袋の手提げ部分　５　接着テープ本体
６　接着テープ保護膜のつまみ部分　７　接着面
８　接着テープ保護膜と袋との接着部分
【図１】
0003097964.tif 000003
【図２】
0003097964.tif 000004
【手続補正書】
【提出日】平成15年6月27日(2003.6.27)
【手続補正１】
【補正対象書類名】明細書
【補正対象項目名】請求項１
【補正方法】変更
【補正の内容】
【請求項１】
１　ビニール袋側面と底面との繋ぎのつまみ部分（図中の１）の間にビニール袋の底の折り目と直角に交わるように、粘着テープを接着させておく。
２．接着面を保護する紙は剥がし易いように、粘着面より広い範囲を用意してつまみの部分とする。
３．保護の紙は剥がし終えたあと分離するのでなく、そのまま袋の底につながったままの状態でゴミにならないようにする。
以上の構成を有するビニール袋。
(57)【要約】　　　（修正有）【課題】従来のものは、防犯プレートを内側のガラスに接着するもので、ガラスが破壊されるとめくれてしまうことが多い。【解決手段】そこで、窓枠の鍵受金具のネジ穴を共有することによって、防犯プレートを窓枠に固定することが出来る。それによって、ガラスを破壊してもプレートによって、窓鍵を守ることが出来る。【選択図】　　図１
0003097961.tif 000002
【実用新案登録請求の範囲】
【請求項１】
現状の窓鍵受金具部分を使用する。突き破り防止防犯プレートの特徴で既存の窓鍵受金具より大き目の穴を図１−▲３▼のように窓枠の側面にあける。
【請求項２】
防犯プレートを窓枠部分の既存のネジ穴に取り付けられる。窓鍵受金具取り付けねじの穴に合うように各メーカーの穴のピッチに合わせるために長穴に加工しました。
【考案の詳細な説明】
【０００１】
【考案の属する技術分野】
この発明は窓鍵の防犯に関すること。
【０００２】
【従来の技術】
従来は両面テープでガラスに防犯プレートを接着している。
【０００３】
【考案が解決しようとする課題】
従来のものは、防犯プレートを内側のガラスに接着するもので、ガラスが破壊されるとめくれてしまうことが多い。
【０００４】
【課題を解決するための手段】
ガラスではなく、防犯プレートを窓枠に固定する。
【０００５】
【実施例】
装着してテストをしました。
【０００６】
【考案の効果】
ガラスが破損してもプレートは取れませんでした。
【０００７】
【図面の簡単な説明】
【図１】突き破り防止防犯プレートを装着した立体面図である。
【符号の説明】
▲１▼　突き破り防止防犯プレート：金属類・硬いプラスチックなどの樹脂系で加工した物
▲２▼　窓鍵受金具取り付けねじの穴に合うように各メーカーの穴のピッチに合わせるために長穴に加工しました。
▲３▼　突き破り防止防犯プレートの特徴で既存の窓鍵受金具より大き目の穴を図▲３▼のように窓枠の側面にあける。
▲４▼　クレセント受金具
▲５▼　窓枠
▲６▼　ガラス
【図１】
0003097961.tif 000003
【手続補正書】
【提出日】平成15年3月18日(2003.3.18)
【手続補正１】
【補正対象書類名】明細書
【補正対象項目名】実用新案登録請求の範囲
【補正方法】変更
【補正の内容】
【実用新案登録請求の範囲】
【請求項１】
窓ガラスの窓鍵受金具の取付けネジを共有して窓枠の鍵部分に装着固定する突き破り防止プレート。
【手続補正書】
【提出日】平成15年6月5日(2003.6.5)
【手続補正１】
【補正対象書類名】明細書
【補正対象項目名】実用新案登録請求の範囲
【補正方法】変更
【補正の内容】
【実用新案登録請求の範囲】
【請求項１】
金属類・硬いプラスチックなどの樹脂系で加工した板であって、ガラス面と窓枠に沿うように曲げられており、窓鍵受金具をくぐらせる穴と窓鍵受金具取付けネジを利用して窓枠に固定する為の穴を有する突き破り防止プレート。
(57)【要約】　　　（修正有）【課題】段差等があっても、あたかも無いがごとく、通行、進行出来る車両を提供する。【解決手段】前輪には片方に６ヶの小輪キャスター群を有し、後輪も同サイズの６ヶの小輪キャスター群を有する。通常の進行は、これらの小輪キャスター群が回転する事で進行するが、段差などの障害物に出合うと、小輪キャスターはストップし、小輪キャスターを取付けてある脚と芯軸が回転し、障害物を跨ぐのである。【選択図】図１
0003097970.tif 000002
【実用新案登録請求の範囲】
【請求項１】
小輪キャスターを固定した脚自身も回転する構造を有する車両、即ち、２種類の車輪が自転と公転をして進行する車両に係るもので、段差の無い平な所では、小輪キャスターが回転して進行するが、段差や障害物に小輪キャスターが直面すると、小輪キャスターはストップし、進行方向側の脚自身が段差を跨いで進行を継続して行う車両や車両椅子。
【考案の詳細な説明】
（イ）　産業上の利用分野
手押車から車椅子まで、車両又は車と名の付く物は総て車輪が回転することで、人や荷物を運搬するのであるが、所々に段差がありスムースに進行出来ないのが実情である。
バリアフリーの名目のもと、家居や道路で、平たん化や、スロープ化が進行中であるが、全般的にみて改善が可能なのは、大自然の中のほんの微小の点的範囲に他ならないのである。
スーパーなどの荷台付の手押車などは車輪キャスターが小さくて、小石や小さな段差にも、けまづいて荷物が落下したり、工場や事業所などにある手押車は、トラックの停止場所から工場内までには数ヶ所の色々の段差等があり、物品を運ぶにも容易でないのが現実である。
そこで、段差等があっても、あたかも無いがごとく、通行、進行出来る車両が期待され望まれるのは当然で、本考案品はこうした要望に添った新発想から生れた車両である。
人の足と脚が、段差を何なく無抵抗で跨ぐ様に、小輪キャスター付の脚自身が、段差を跨ぐので、スイスイと、あたかも平な道を通行しているごとく進行が可能なのである。
以上の様に、人や物の運搬には、安全とスピード、更に省力化も計れる為、夢の車両の実現といえる。
（ロ）　従来の技術
従来の車両は、車輪の直径が小さい程、段差等につまづき易い。積載物が軽い場合は、その都度車両や車輪を少々持上げて通行する事が可能で、だれもがそうする事があたり前と思い、その様にして車両を利用して来たのである。
しかし、新世紀、新時代の現在、その時代にふさわしい車両の出現が求められるのは、ごく自然な成行きである。
車椅子などの様に人を運ぶ、あるいわ自分で操って進む車両の場合、重度の障害者なれば、乗ったままにしろ降りるにしろ段差等をクリアーする事は不可能な事である。
従来の技術は、この様に大きな壁に直面しているのである。そこで、人々は路面や床面の平たん化や、スロープ化を考えて実行に移しているのが現状である。
しかし、この広大な自然の中の地面や床面を、総て均一な平面とする事は不可能な事で、実現しても、ほんの点的面積に他ならないのである。
結果的に、車椅子の利用者や重量積載の手押車の扱者は、苦痛とこんなんな作業を強いられているのが実情で、これが従来の技術である。
（ハ）　考案が解決しようとする課題
段差が１センチメートルから３センチメートル位の高さなら車輪の直径の大形化で、乗越えられるが、４センチメートルから１０センチメートルに達すると、車輪の直径も１メートルから２メートル位へと大形化しないと乗越えられない。
実際に、そんな大きな車輪の車椅子を、家居の中で動かす事は不可能である。一般の作業用運搬車にしても同様である。車椅子で、踏切に入り渡り切る場合、レールと平行してある溝に、前輪の小さな直径の車輪が、落ちて動けなくなるので、溝に入らぬ様にする為、車椅子の先端の小輪を瞬時に浮かして、飛び越えるという力と技術が必要なのである。
若い人なら、それが可能であるが高齢者や弱力者には、そんなことは出来ないのである。
そこで、段差等を越えるには、人間の足と脚の様に跨ぐという装置、あるいわ技術が要求されるのである。人間ならだれもが何のためらいもなく、苦痛もなく踏切や段差を通行する事が出来る。この原理を応用した車輪の出現が求められるのは、当然で、自然な成行きである。
かくして、本考案の跨いで越えて進行出来る車両の誕生と成ったのである。
（ニ）　課題を解決しようとする手段
段差や溝等が進行中に現われた場合、それらの障害物を跨いで越える。丁度、人間が現実に跨いで通行しているのである。
即ち、人が脚で障害物を跨ぐ方法や技術を車両や車椅子に応用すれば良いのである。しかし、アイデアは以上の様に容易に出現しても、人の動きを車両に転用する手段や方法は容易な事ではないが、研究と実験を重ねて、目的を遂行せねばならないのである。
バッテリーや電気を使用せず、いわゆる省エネ、即ち、エコ方式でこの難しい課題を解決しようとする手段は、本考案以外にないのである。これは、世界的で、世界初の車両のＥＣＯ技術といえる。
（ホ）　作用
太陽を中心にして、その周囲を地球などの惑星群が自転し乍ら公転する。この大自然のモーションを、小さな小さな車両の世界に転用、コピー化したのが本考案の原理である。
車の進行は自転する小輪キャスターと公転する大輪の双方に依って成され、進行中は常時いづれかの車輪が回転している事になる。段差等の障害物のない場合は脚の先端にある小輪キャスターが回転して進行するが、段差等に突き当り動けなくなると、小輪キャスターの回転はストップし、大輪が回転する。即ち小輪は公転をするのである。この様にして脚が、段差を跨ぐのである。車両はこの様にして、自転と公転をくり返し乍ら停止することなくスムースに進行を続けるのである。
（ヘ）　実施例
図１が示す通り前輪には片方に６ヶの小輪キャスター群を有し、後輪も同サイズの６ヶの小輪キャスター群を有する。
通常の進行は、これらの小輪キャスター群が回転する事で進行するが、段差などの障害物に出合うと、小輪キャスターはストップし、小輪キャスターを取付けてある脚と芯軸が回転し、障害物を跨ぐのである。
以上の様にして、別の小輪キャスター付の脚が回転し、段差等の障害物の前方に降りて、車両全体は前進が出来る。
（ト）　考案の効果
車椅子利用者などの活動範囲が広がり、楽しくて快適な暮しに役立つことである。
工場や職場での荷物の搬送に於ても、段差につまづいて、物品を落下させることなく、楽で早く行える為、省力化、エコ化に連なる。
従来、段差などでつまづく車輪を有するスーパーや老人が使用する杖代りのうば車、幼児用のベビーカーなど、総ての車が順次本考案方式に入替ると、業界の活況にも大なるものが生れ、ひいては雇用を始め低迷中の産業界に大きな活力を与えることに成る。
以上の様に、利用する者、製産する者、全員に福音をもたらすものである。新世紀にふさわしい製品といえる。
（チ）
【図面の簡単な説明】
【図１】図１は側面図である。
【図２】図２は平面図である。
【図３】図３は（イ）−（ロ）断面部の正面図である。
【符号の説明】
（１）自転用小輪キャスター
（２）公転用回転芯軸
（３）脚
（４）折りタタミ式シート
（５）取手
（６）背もたれ
（７）足置台
（８）車巾の伸縮丸棒、内径用
（９）車内の伸縮丸棒、外径用
【図１】
0003097970.tif 000003
【図２】
0003097970.tif 000004
【図３】
0003097970.tif 000005
(57)【要約】　　　（修正有）【課題】小さなボデーを大きく使用出きるようにする。【解決手段】ボデーの一部をスライドさせて一部分を引き出し後から仕切りを取り付け、又は、初めから仕切りを付けて有る部分を引き出しスペースを確保する。【選択図】　　　図２
0003097967.tif 000002
【実用新案登録請求の範囲】
【請求項１】
自動車等のボデー本体１から直接３スライドさせてボデーを広げ作業所又わ客間お大きくして２使用する。
【考案の詳細な説明】
【０００１】
【考案が解決しようとする課題】
従来、軽自動車などで商売を行う際スペースが限られ一部の商売しか出来なかったが、ボデーとなる一部をスライドさせる事により大きいスペースを作りだし、従来より商売の範囲が広がる。
【０００２】
【課題を解決するための手段】
ボデーの一部となる部分が重くなり引き出す為、ローラー類又わベアリング類又わ油圧類を使用してスライドさせる。
【０００３】
【考案の効果】
小さい車でも大きな車に見える。
【図面の簡単な説明】
【図１】スライドした斜面図である。
【図２】スライド部分の図である。
【図３】移動する（収納）時の図である。
【符号の説明】
１　　ボデー本体
２　　スライドして開く部分
３　　スライドする部分
【図１】
0003097967.tif 000003
【図２】
0003097967.tif 000004
【図３】
0003097967.tif 000005
【手続補正書】
【提出日】平成15年6月6日(2003.6.6)
【手続補正１】
【補正対象書類名】明細書
【補正対象項目名】実用新案登録請求の範囲
【補正方法】変更
【補正の内容】
【実用新案登録請求の範囲】
【請求項１】
自動車等のボデー本体１から直接３ボデーの一部をスライドさせて広げ作業所又は客間を大きくする事が出来る自動車。
(57)【要約】【課題】プレス成形された集水器の強度を向上し、支持固定部において撓みにより変形して脱落することを防止する。【解決手段】主に集水器２０の開口部端の両側へ凸端２４、凹溝２１をそれぞれ設け、凹溝内に嵌め桿２２を嵌合し、嵌め桿内は空洞部２３を設け、吊金具の掛け爪２６を空洞部へ嵌入し、凸端２４は吊金具の滑り止め２７と固定桿２８間に設け、該集水器の凹溝内へ嵌め桿を設け、嵌め桿内の空洞部へ吊金具の掛け爪を連結させて吊金具を屋根の側壁に取り付ける。【選択図】　　図３
0003097993.tif 000002
【実用新案登録請求の範囲】
【請求項１】
主に集水器の開口部端の両側へ凸端、凹溝をそれぞれ設け、
該凹溝に嵌め桿を嵌合し、嵌め桿内へ空洞を設け、
吊金具の掛け爪が空洞部へ嵌入し、凸端は吊金具の滑り止めと固定桿間に収まるように設け、
該集水器の凹溝内へ設けた嵌め桿内の空洞部へ吊金具の掛け爪を連結させることによって支持固定することを特徴とする集水器の構造。
【考案の詳細な説明】
【０００１】
【従来の技術】
図１に示すように、屋根１０の下へ集水器１１を設け、該集水器１１は吊金具１２により壁１６へ固定し、集水器１１の底は排水管１３と連結し、雨水が屋根１０をつたって集水器１１へ流れ、その後排水管１３へ流れ込んで、雨水が屋根１０へ溜まり水滴となって落ちないようにしている。
集水器１１の設計は図２に示すように、該集水器１１は鉄板１４を利用したプレス方式にて一体に成型し、成型した鉄板１４の外表面にプラスチック１５で被覆して鉄板に錆が生じることを防止する。
上記の集水器においてプラスチックで鉄板を被覆する方法には下記の欠点がある。
プレス方式にて一体を成型する単純な加工であるために、鉄板本体の強度は低く、一体に成型される集水器の強度が弱いため集水器は変形しやすく、鉄板を覆うプラスチックは簡単に鉄板からはがれるので鉄板が錆るなどの原因となり、吊金具で集水器を固着できなくなるので、集水器の寿命は短い。
集水器を吊金具と連結するところはプラスチック成型の構造で、鉄板を係止する連結力が弱く、プラスチックが突然割れたり、壊れたりすることが発生すると、集水器を係止する力が不十分となり、落ちる原因となる。
【０００２】
【考案が解決しようとする課題】
上記公知構造の欠点を解決するため、集水器の構造の提供を課題とする。
【０００３】
【課題を解決するための手段】
上記課題を解決するため、本考案は下記の集水器の構造を提供する。
本考案の設計は強度の高い材質である錆びない鋼鉄などを利用してプレス成型し、吊金具と連結するところに凹溝を設け、凹溝内に嵌り桿を設け、該嵌り桿は吊金具と連結することにより、集水器は壁へ固定する、
強度の高い材質の板材から製造する集水器は嵌り桿により確実に使用効果を達成し、且つ集水器の強度も増し、簡単に変形しない。
【０００４】
【考案の実施の形態】
図３に示すように、本考案の設計は、強度の高い錆びない鋼鉄材質のプレス成型の集水器２０の両端へ凹溝２１、凸端２４を設け、凹溝２１へ嵌め桿２２を嵌合し、該嵌め桿２２内へ空洞部２３を設け、吊金具２５の前端へ掛け爪２６を設け、末端の水平部へ滑り止め２７を設け、垂直面に固定桿２８を設け、滑り止め２７と固定桿２８間は一定の幅を保持する。
吊金具２５の掛け爪２６は嵌め桿２２の空洞部２３へ嵌合し、同時に、集水器２０の凸端２４は滑り止め２７と固定桿２８間へ嵌合し、凸端２４の上に接触する吊金具２５により、滑り止め２７は集水器２０の凸端２４の内側へ位置し、固定桿２８は集水器２０の凸端２４外側へ位置し、凸端２４は吊金具２５の内部へ固着し、吊金具２５と集水器２０は嵌合し一体となる、
この連結構造の利点は、
集水器の材質が強化され、
凹溝２１と凸端２４は開口部端にあり、両側に向かって拡張度は小さく、湾曲度もまた同様に小さく、変形して吊金具から脱落することも避けられる、
吊金具の掛け爪と集水器が連結するところはプラスチックが割れたり破壊することもなく、吊金具は集水器と連結し、壁へ固定され、集水排出する使用寿命を延ばすことができる。
【０００５】
【考案の効果】
上記のように本考案の設計は強度の高い材質である錆びない鋼鉄などを利用してプレス成型し、吊金具と連結するところに凹溝を設け、凹溝内に嵌り桿を設け、該嵌り桿は吊金具と連結することにより、集水器は壁へ固定する、
強度の高い材質の板材から製造する集水器は嵌り桿により確実に使用効果を達成し、且つ集水器の強度も増し、簡単に変形しない。
プラスチックが破壊したり、割れたりすることなく、吊金具は集水器に吊着し、壁へ固着し、水を集めて排出する機能の使用寿命も延びる。
【図面の簡単な説明】
【図１】一般の屋根に集水器を取り付けたときの排水構造指示図である。
【図２】公知の集水器構造指示図である。
【図３】本考案の本考案実施例の構造指示図である。
【符号の説明】
１０　　屋根
１１　　集水器
２０　　集水器
１２　　吊金具
２５　　吊金具
１３　　排水管
１４　　鉄板
１５　　プラスチック
１６　　壁面
２１　　凹溝
２２　　嵌め桿
２３　　空洞部
２４　　凸端
２６　　掛け爪
２７　　滑り止め
２８　　固定桿
【図１】
0003097993.tif 000003
【図２】
0003097993.tif 000004
【図３】
0003097993.tif 000005